(57)【要約】【課題】本発明は、切削工具の回転に伴ってハウジングに生じる振動を抑制し、ハンドピースヘッド部、ハンドピース本体の振動を低減させて、歯科医師等の使用感の向上、患者の歯の的確な治療実現に寄与することができるカートリッジ式の歯科用ハンドピースを提供する。【解決手段】本発明は、ハンドピース本体２と一体化したハンドピースヘッド部３内に、ハウジングキャップにより施蓋する状態でカートリッジ式のハウジング４を着脱可能に内装し、前記ハウジング５に配置した切削工具１７を突出状態で保持する回転軸１５によって駆動エアにより回転駆動される羽根車を軸支し、羽根車の回転に応じて切削工具１７を回転させて歯科治療を行うカートリッジ式の歯科用ハンドピース１であって、ハウジング４の上面部１２の円形平板部１２ａに撓み性を持たせ、ハウジングキャップ５の平坦な内底面をハウジング４の円形平板部１２ａに密接させ、このハウジング４の円形平板部１２ａを撓ませた状態でハウジング４をハンドピースヘッド部３内に固定する構成としたものである。【選択図】図２
2017136203.tif 000002
【特許請求の範囲】
【請求項１】
ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、
前記ハウジングの上面部の平坦部分に撓み性を持たせ、前記ハウジングキャップの平坦な内底面を前記ハウジングの上面部の平坦部分に密接させ、このハウジングの上面部の平坦部分を撓ませた状態で前記ハウジングを前記ハンドピースヘッド部内に固定する構成としたことを特徴とするカートリッジ式の歯科用ハンドピース。
【請求項２】
ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、
前記ハウジングは、略円筒状のハウジング本体の上部に、略円錐台形状に形成した上面部を備え、この上面部の上端を構成する円形平板部に、単数の円形状溝部を前記回転軸と同心配置に設け、又は、間隔をおいて複数の円形状溝部を前記回転軸と同心配置に設けることで撓み性を持たせ、前記ハウジングキャップの平坦な中央円形平端部により前記ハウジングの円形平板部に押圧力を加えつつ、この円形平板部を撓ませた状態で前記ハウジングを前記ハンドピースヘッド部内に固定する構成としたことを特徴とするカートリッジ式の歯科用ハンドピース。
【請求項３】
前記上面部は、銅合金系、スチール系、若しくは、チタン系から選定される弾性金属素材、弾性非金属素材、又は、弾性を有する合成樹脂材を用いて形成したことを特徴とする請求項１又は２記載のカートリッジ式の歯科用ハンドピース。
【発明の詳細な説明】
【技術分野】
【０００１】
本発明は、歯科医院等で患者の歯の治療に用いられるカートリッジ式の歯科用ハンドピースに関するものである。
【背景技術】
【０００２】
従来、歯科医院等で患者の歯の治療に用いられるカートリッジ式の歯科用ハンドピースが種々提案され、実用に供されている。
【０００３】
このような歯科用ハンドピースの場合、ハンドピース本体と一体化したハンドピースヘッド部内に、ハウジングキャップにより施蓋する状態でカートリッジ式のハウジングを着脱可能に内装する構成を採用することから、切削工具の回転に伴ってハウジングに生じる振動をできるだけ低減することが歯科医師等の使用感を向上させ、患者の歯の的確な治療行為実現を図る上で要請される。
【０００４】
非特許文献１には、ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースが開示されている。
【０００５】
しかし、この非特許文献１のカートリッジ式の歯科用ハンドピースの場合、ハウジングキャップによりカートリッジ式のハウジングの上部を単に施蓋する構成を採用しており、このため、ハウジング上面とハウジングキャップとの間に隙間が生じてしまい、この結果、切削工具の回転に伴ってハウジングに生じる振動がハンドピースヘッド部、さらには、ハンドピース本体に伝達され易くなり、歯科医師等の使用感を低下させ、患者の歯の的確な治療行為の妨げとなる惧れがあった。
【先行技術文献】
【非特許文献】
【０００６】
【非特許文献１】意匠登録第１５３５６８８号号公報
【発明の概要】
【発明が解決しようとする課題】
【０００７】
本発明は、上記事情に鑑みてなされたものであり、切削工具の回転に伴ってハウジングに生じる振動を抑制し、ハンドピースヘッド部、さらには、ハンドピース本体の振動を低減させて、歯科医師等の使用感の向上、患者の歯の的確な治療実現に寄与することができるカートリッジ式の歯科用ハンドピースを提供することを目的とするものである。
【課題を解決するための手段】
【０００８】
本発明は、ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、前記ハウジングの上面部の平坦部分に撓み性を持たせ、前記ハウジングキャップの平坦な内底面を前記ハウジングの上面部の平坦部分に密接させ、このハウジングの上面部の平坦部分を撓ませた状態で前記ハウジングを前記ハンドピースヘッド部内に固定する構成としたことを最も主要な特徴とする。
【発明の効果】
【０００９】
請求項１記載の発明によれば、ハウジングキャップの平坦な内底面を前記ハウジングの上面部の平坦部分に密接させ、このハウジングの上面部の平坦部分を撓ませた状態で前記ハウジングを前記ハンドピースヘッド部内に固定する構成としているので、このハウジングが前記ハンドピースヘッド部内で前記切削工具の回転に伴って単独で振動し、その振動が前記ハンドピースヘッド部、さらにはハンドピース本体へ伝達されてしまう不都合を抑制し、前記ハンドピースヘッド部からハンドピース本体へ伝達される前記切削工具の回転に伴う振動を低減することが可能となり、歯科医師等の使用感が向上し、患者の歯の的確な治療実現に寄与することができるカートリッジ式の歯科用ハンドピースを提供することができる。
【００１０】
請求項２記載の発明によれば、ハウジングキャップの平坦な中央円形平端部により前記ハウジングの円形平板部に押圧力を加えつつ、前記円形状溝部を設けたことによる円形平板部の剛性低下を利用してこの円形平板部を撓ませた状態で前記ハウジングを前記ハンドピースヘッド部内に固定する構成としているので、請求項１記載の発明と同様、前記ハウジングが前記ハンドピースヘッド部内で前記切削工具の回転に伴って単独で振動し、その振動が前記ハンドピースヘッド部、さらにはハンドピース本体へ伝達されてしまう不都合を抑制し、前記ハンドピースヘッド部からハンドピース本体へ伝達される前記切削工具の回転に伴う振動を低減することが可能となり、歯科医師等の使用感が向上し、患者の歯の的確な治療実現に寄与することができるカートリッジ式の歯科用ハンドピースを提供することができる。
【００１１】
請求項３記載の発明によれば、請求項１又は２記載の発明において、前記上面部を、銅合金系、スチール系、若しくは、チタン系から選定される弾性金属素材、弾性非金属素材、又は、弾性を有する合成樹脂材を用いて形成したものであるから、これら弾性金属素材、弾性非金属素材又は合成樹脂材の撓み性を利用して前記上面部を撓ませ、これにより請求項１又は記載の発明と同様な効果を奏するカートリッジ式の歯科用ハンドピースを提供することができる。
【図面の簡単な説明】
【００１２】
【図１】図１は本発明の実施例に係るカートリッジ式の歯科用ハンドピースの概略分解斜視図である。
【図２】図２は本実施例に係るカートリッジ式の歯科用ハンドピースにおけるハンドピースヘッド部の概略拡大断面図である。
【図３】図３は本実施例に係るカートリッジ式の歯科用ハンドピースにおけるハウジングの部分拡大断面図である。
【図４】図４は本実施例に係るカートリッジ式の歯科用ハンドピースにおけるハウジングの上面部とハウジングキャップの内底部との密着状態を示す部分拡大断面図である。
【発明を実施するための形態】
【００１３】
本発明は、切削工具の回転に伴ってハウジングに生じる振動を抑制し、ハンドピースヘッド部、さらには、ハンドピース本体の振動を低減させて、歯科医師等の使用感の向上、患者の歯の的確な治療実現に寄与することができるカートリッジ式の歯科用ハンドピースを提供するという目的を、ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、前記ハウジングは、略円筒状のハウジング本体の上部に、略円錐台形状に形成した上面部を備え、この上面部の上端を構成する円形平板部に、単数の円形状溝部を前記回転軸と同心配置に設け、又は、間隔をおいて複数の円形状溝部を前記回転軸と同心配置に設けることで撓み性を持たせ、前記ハウジングキャップの平坦な中央円形平端部により前記ハウジングの円形平板部に押圧力を加えつつ、この円形平板部を撓ませた状態で前記ハウジングを前記ハンドピースヘッド部内に固定する構成により実現した。
【実施例】
【００１４】
以下に本発明の実施例に係るカートリッジ式の歯科用ハンドピースについて図面を参照して詳細に説明する。
【００１５】
本実施例のカートリッジ式の歯科用ハンドピース１は、図１、図２に示すように、歯科医師等が片手で把持可能な細長円筒体上のハンドピース本体２と、このハンドピース本体２の先端部に一体的に配置する略円筒状のハンドピースヘッド部３と、前記ハンドピースヘッド部３内に着脱可能に内装するカートリッジ式で略円筒状のハウジング４と、前記ハンドピースヘッド部３の上端部に外周円筒部５ａを装着し、その中央円形平端部５ｂを前記ハウジング４上に圧接するとともに、中央部に後述する回転軸１５の外径より孔径が大きい円形孔５ｃを設けたハウジングキャップ５と、前記ハウジングキャップ５の上端部に上下動可能に嵌装するプッシュキャップ６と、前記プッシュキャップ６と前記ハウジングキャップ５との間に介在させるコイル状のバネ２１と、を有している。
【００１６】
前記ハウジング４は、全体として略円筒状のハウジング本体１１と、このハウジング本体１１の上部に一体的に配置するとともに、その内部に後述する上部の軸受１８Ａを収納する上面部１２とを具備している。
【００１７】
前記上面部１２は、その下部側が略円筒状で、上部側の外観形状が略円錐台形状に形成され、その上端部を形成する所定の肉厚の円形平板部１２ａの内周側中央部１２ｂを、上方に突出する凸形状とするとともに、この内周側中央部１２ｂにより区画される後述する回転軸１５の外径より孔径が大きい円形孔１３を具備している。
【００１８】
そして、前記円形平板部１２ａにおける内周側中央部１２ｂより外周側に間隔を隔て例えば２つの円形状溝部１４（図３にクロス斜線を付して示す）を後述する回転軸１５と同心配置に設け、これにより、前記円形平板部１２ａの剛性低下を利用して撓み性を持たせている。
【００１９】
そして、前記ハウジング４をハンドピースヘッド部３内に装着し、このハンドピースヘッド部３の上方に前記ハウジングキャップ５を配置して、このハウジングキャップ５の外周円筒部５ａを、前記ハンドピースヘッド部３の上端外周円筒部に装着し、前記ハウジング４の上部を施蓋する構成としている。
【００２０】
このとき、図４に示すように、前記ハウジングキャップ５の中央円形平端部５ｂにおける円形孔５ｃ側の円形端部５ｄにより、前記ハウジング４における内周側中央部１２ｂを押圧するようにしてこのハウジングキャップ５の中央円形平端部５ｂの下面を前記円形平板部１２ａ上に密着させる構成としている。
【００２１】
これにより、前記ハウジング４における前記円形平板部１２ａに２つの円形状溝部１４を設けたことによる剛性低下を利用してこの円形平板部１２ａを撓み状態としつつカートリッジ式のハウジング４をハンドピースヘッド部３内に一体的に固定することができる。
【００２２】
すなわち、前記ハウジングキャップ５の施蓋状態では、前記ハウジング４の円形平板部１２ａが撓み、前記ハウジングキャップ５の中央円形平端部５ｂと円形平板部１２ａとの間の隙間が無くなる（２つの円形状溝部１４の部分を除く）状態とするものである。
【００２３】
尚、前記円形状溝部１４としては、上述した場合の他、回転軸１５と同心配置に単数の円形状溝部１４を設けたり、回転軸１５と同心配置に３個以上の円形状溝部１４を設ける構成とすることもできる。
【００２４】
前記プッシュキャップ６は、ハウジングキャップ５の外周円筒部５ａ内に上下動可能に、かつ、ハウジングキャップ５から離脱しないように嵌装する外周円形部６ａと、その内底中央に設けた押圧突片６ｂとを具備している。
【００２５】
そして、前記押圧突片６ｂの回りの内底部と、前記ハウジングキャップ５の中央円形平端部５ｂの上面との間に前記バネ２１を介在させ、常時はバネ２１によりハンドピースヘッド部３の上方に付勢されるように構成し、このハウジングキャップ５をバネ２１の付勢力に抗してハンドピースヘッド部３の内方にプッシュし押圧突片６ｂにより回転軸１５の上端を押し込むことにより、前記切削工具１７を回転軸１５から離脱し得るように構成している。
【００２６】
前記ハウジング４を構成する上面部１２の素材としては、弾性金属材料、望ましくは、バネ性のある金属材料で、例としては、銅合金系では、Ｃ２７００、リン青銅、ベリリウム銅等、スチール（ハガネ）系では、ＳＵＳ３０４系統、３１６系統、チタン系では、純チタン等の素材を用いることが好ましい。
【００２７】
また、前記ハウジング４を構成する上面部１２の素材としては、熱処理無しでも弾性の有る金属素材、弾性の有る非金属素材、又は、弾性の有る合成樹脂材を採用することもできる。
【００２８】
本実施例のカートリッジ式の歯科用ハンドピース１は、さらに、前記ハウジング４内の中央部にこのハウジング４内を略貫通する状態で切削工具保持部を兼ねる回転軸１５を配置するように構成している。
【００２９】
そして、前記ハウジング４内において、回転軸１５により支持された複数枚の羽根１６を有する羽根車(タービン)を配置し、この羽根車の下部側において回転軸１５に対して歯牙の切削加工等を行う図１に示す切削工具１７を着脱可能に装着するように構成している。
【００３０】
また、前記ハンドピース本体２内に設けた駆動エアの流路８から吸気口９を経て供給される駆動エアにより、前記羽根車を高速に回転させ、前記切削工具１７を高速に回転駆動するように構成している。
【００３１】
前記回転軸１５は、前記羽根車を挟んで上下配置で、かつ、前記ハンドピースヘッド部３内に支持された上部の軸受１８Ａ、下部の軸受１８Ｂにより軸支されている。
【００３２】
前記上部の軸受１８Ａは、内輪１９ａ、外輪１９ｂ、リテーナ１９ｃを具備し、さらに、図示しないボールを具備している。下部の軸受１８Ｂも、前記軸受１８Ａと同様な構造としている。
【００３３】
前記上部の軸受１８Ａとハウジング４の上部の内壁面との間にはＯリング２０を、同じく下部の軸受１８Ｂとハウジング４の下部の内壁面との間にもＯリング２０を各々配置している。
【００３４】
本実施例のカートリッジ式の歯科用ハンドピース１によれば、既述したように、前記ハウジングキャップ５の外周円筒部５ａを、その中央円形平端部５ｂが前記ハウジング４における円形平板部１２ａ上に圧接し密着するようにして、前記ハンドピースヘッド部３の上端外周円筒部に装着し、これにより、前記ハウジング４における前記円形平板部１２ａを撓み状態としつつカートリッジ式のハウジング４をハンドピースヘッド部３内に一体的に固定する構成としている。
【００３５】
このような構成により、このハウジング４が前記ハンドピースヘッド部３内で前記切削工具１７の回転に伴って単独で振動し、その振動が前記ハンドピースヘッド部３、さらにはハンドピース本体２へ伝達されてしまう不都合を抑制し、前記ハンドピースヘッド部３からハンドピース本体２へ伝達される前記切削工具１７の回転に伴う振動を低減することが可能となり、歯科医師等の使用感が向上し、患者の歯の的確な治療実現に寄与することができる。
【産業上の利用可能性】
【００３６】
本発明は、カートリッジ式のハウジングをハンドピースヘッド部内に内装する構造のエアータービンハンドピース、その他各種のハンドピースについて広範に応用可能である。
【符号の説明】
【００３７】
１    歯科用ハンドピース
２    ハンドピース本体
３    ハンドピースヘッド部
４    ハウジング
５    ハウジングキャップ
５ａ  外周円筒部
５ｂ  中央円形平端部
５ｃ  円形孔
５ｄ  円形端部
６    プッシュキャップ
６ａ  外周円形部
６ｂ  押圧突片
８    流路
９    吸気口
１１    ハウジング本体
１２    上面部
１２ａ  円形平板部
１２ｂ  内周側中央部
１３    円形孔
１４    円形状溝部
１５    回転軸
１６    羽根
１７    切削工具
１８Ａ  軸受
１８Ｂ  軸受
１９ａ  内輪
１９ｂ  外輪
１９ｃ  リテーナ
２０    Ｏリング
２１    バネ
【図１】
2017136203.tif 000003
【図２】
2017136203.tif 000004
【図３】
2017136203.tif 000005
【図４】
2017136203.tif 000006
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、
前記ハウジングは、略円筒状のハウジング本体の上部に、略円錐台形状に形成した上面部を備え、この上面部の上端を構成する円形平板部に、単数の円形状溝部を前記回転軸と同心配置に設け、又は、間隔をおいて複数の円形状溝部を前記回転軸と同心配置に設けることで撓み性を持たせ、前記ハウジングキャップの平坦な中央円形平端部により前記ハウジングの円形平板部に押圧力を加えつつ、この円形平板部を撓ませた状態で前記ハウジングを前記ハンドピースヘッド部内に固定する構成としたことを特徴とするカートリッジ式の歯科用ハンドピース。
【請求項２】
前記上面部は、銅合金系、スチール系、若しくは、チタン系から選定される弾性金属素材、弾性非金属素材、又は、弾性を有する合成樹脂材を用いて形成したことを特徴とする請求項１記載のカートリッジ式の歯科用ハンドピース。
【手続補正２】
【補正対象書類名】明細書
【補正対象項目名】０００８
【補正方法】変更
【補正の内容】
【０００８】
本発明は、ハンドピース本体と一体化したハンドピースヘッド部内に、ハウジングキャップにより施蓋する状態でカートリッジ式のハウジングを着脱可能に内装し、前記ハウジングに配置した切削工具を突出状態で保持する回転軸によって駆動エアにより回転駆動される羽根車を軸支し、前記羽根車の回転に応じて前記切削工具を回転させて歯科治療を行うカートリッジ式の歯科用ハンドピースであって、
前記ハウジングは、略円筒状のハウジング本体の上部に、略円錐台形状に形成した上面部を備え、この上面部の上端を構成する円形平板部に、単数の円形状溝部を前記回転軸と同心配置に設け、又は、間隔をおいて複数の円形状溝部を前記回転軸と同心配置に設けることで撓み性を持たせ、前記ハウジングキャップの平坦な中央円形平端部により前記ハウジングの円形平板部に押圧力を加えつつ、この円形平板部を撓ませた状態で前記ハウジングを前記ハンドピースヘッド部内に固定する構成としたことを最も主要な特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項１記載の発明によれば、ハウジングキャップの平坦な中央円形平端部により前記ハウジングの円形平板部に押圧力を加えつつ、前記円形状溝部を設けたことによる円形平板部の剛性低下を利用してこの円形平板部を撓ませた状態で前記ハウジングを前記ハンドピースヘッド部内に固定する構成としているので、請求項１記載の発明と同様、前記ハウジングが前記ハンドピースヘッド部内で前記切削工具の回転に伴って単独で振動し、その振動が前記ハンドピースヘッド部、さらにはハンドピース本体へ伝達されてしまう不都合を抑制し、前記ハンドピースヘッド部からハンドピース本体へ伝達される前記切削工具の回転に伴う振動を低減することが可能となり、歯科医師等の使用感が向上し、患者の歯の的確な治療実現に寄与することができるカートリッジ式の歯科用ハンドピースを提供することができる。
【手続補正５】
【補正対象書類名】明細書
【補正対象項目名】００１１
【補正方法】変更
【補正の内容】
【００１１】
請求項２記載の発明によれば、請求項１記載の発明において、前記上面部を、銅合金系、スチール系、若しくは、チタン系から選定される弾性金属素材、弾性非金属素材、又は、弾性を有する合成樹脂材を用いて形成したものであるから、これら弾性金属素材、弾性非金属素材又は合成樹脂材の撓み性を利用して前記上面部を撓ませ、これにより請求項１記載の発明と同様な効果を奏するカートリッジ式の歯科用ハンドピースを提供することができる。